(57)【要約】【課題】  従来、知覚検査を簡易的方法で行う場合、使用する測定用具自体が精密性に乏しく主観的評価になり極めて曖昧かつ煩雑であった。そこで本発明では形状をペン型とし、複数の検査機能を併合して有し、さらに測定値を数字で表示させ客観的に評価する方法を可能とし、且携帯に便利で簡易性を高めた複合知覚測定計器を開発提供する。【解決手段】温冷覚測定機能、痛覚測定機能、触覚測定機能、及び振動覚測定機能の内２つ以上又は４つ全部の測定に対応する、例えば温冷覚測定ではペルチェ素子の特性を利用し加温又は冷却温度での皮膚接触刺激による温冷覚の有無を評価、痛覚測定ではパルス信号発生で皮膚を刺激し、触覚測定では風の動きを知覚する、振動覚測定では振動発生モーターで発生する振動値計測による評価を行い、被検者の反応を出力表示窓に出る液晶数字で客観的に評価できる手段を採用した複合知覚測定計器とする。【特許請求の範囲】
【請求項１】
知覚障害の程度を調べる測定計器であって、温冷覚測定機能、痛覚測定機能、触覚測定機能、及び振動覚測定機能の内これらの検査測定機能を一つの計器に複合的に２つ以上又は４つ全部を併合して有し、被検者の反応を出力表示窓の数字で客観的に評価ができるのを特徴とする複合皮膚感覚測定計器。
【請求項２】
知覚障害の程度を調べる測定計器であって、形状を携帯用ペン型として係止用のクリップを具備し、駆動する為のＯＮ／ＯＦＦスイッチと各検査の選択機能スイッチや制御スイッチそれに出力表示窓等を設ける構造とした請求項１に記載の複合皮膚感覚測定計器。
【請求項３】
クリップを摘みとして軸回転させることで選択機能スイッチとし、制御スイッチと駆動スイッチの両方を併用するスイッチ群とするのを特徴とする複合皮膚感覚測定計器。
【請求項４】
温冷覚測定機能において、本体先端部の皮膚接触部に温感刺激または冷感刺激を与えるためにペルチェ素子を採用し、該ペルチェ素子の特性による加温及び冷却作用を使い分け、温冷強弱をコントロールする制御装置を備え計測値を数字で表示するのを特徴とする請求項１及び請求項２に記載の複合皮膚感覚測定計器。
【請求項５】
痛覚測定機能において、本体先端部の皮膚接触部にパルス発生端子を設け、電子信号正パルスの尖頭出力で得る痛感刺激を測定対象部分の皮膚に与えながら強弱をコントロールする制御装置を備え、又、本体先端部を対象皮膚に押圧することで押圧覚の測定機能をも有し、計測値を数字で表示するのを特徴とする請求項１及び請求項２に記載の複合皮膚感覚測定計器。
【請求項６】
触覚測定機能において、ファンで発生する風エネルギーを皮膚表面に掃射して触覚測定を行い、計測値を数字で表示するのを特徴とする請求項１及び請求項２に記載の複合皮膚感覚測定計器。
【請求項７】
振動覚測定機能において、振動発生モーターによる振動を機器本体自身が振動運動を表現する状態、或いは皮膚接触部に振動子を設け部分的振動を発生させるなどいろいろと使い分けて振動覚の評価測定を可能とし、計測値を数字で表示するのを特徴とする請求項１及び請求項２に記載の複合皮膚感覚測定計器。
【発明の詳細な説明】
【発明の詳細な説明】
【技術分野】
【０００１】  本発明は知覚障害の程度を調べる測定計器であって、温冷覚、痛覚、触覚、振動覚、等の４つの知覚検査機能を一つの機器に複合的に二つ以上併合して有し、簡易・簡便性を高めて計測値を数字で表示し、且正確で客観的評価ができる複合皮膚感覚測定計器に関する。
【背景技術】
【０００２】  従来からの知覚検査には、検査する知覚の種類に応じて数種類の測定用具を準備しなければならず煩雑で時間もかかっていた。例えば簡易的検査手段として採用される用具及び方法として、試験管に温水や冷水を入れて温冷覚、針刺激による痛覚、そして音叉での振動覚や綿花を使い皮膚触覚の反応を計測する等の検査方法が用いられているが、いずれも主観的なものであり極めて評価が曖昧で不正確である。【０００３】  又、個々の主観的判断に頼ることなく正確に客観的に測定しようとすると、各知覚検査に応じた測定機器の機種を購入しなければならず、これらの各測定機器は高価な為実際に採用するには不可能に近く、それに大型で携帯移動には不向きであり簡易・簡便性に欠けるものである。【０００４】  それに従来の検査方法では、検査を受ける被検者側の負担も大きいものがあった。何故なら段階的に刺激度を増幅する機能が全く採用されていない為、いきなり針を刺されたり、温水試験管或いは冷水試験管などの急激な皮膚接触による驚きなど、精神的にも緊張感を高め場合によっては苦痛に近い状態に置かれることもしばしばあり、又非常に時間が掛かっていた。【０００５】  参考文献として温冷覚測定器に関するものでは「ペルチェ素子を用いた温冷覚測定器」特開平８−２４３１０６があり、他に計数的に計測するもので「押圧安定型測定子を使用した血行測定器」特開平９−２５３０６６等が公知されているが、本発明が目的とする簡便性を図るための検査測定機能を２つ以上併合して構成する複合皮膚感覚測定計器とは異なるものである。
【発明の開示】
【発明が解決しようとする課題】
【０００６】  知覚検査を簡易的方法で行う場合、使用する測定用具自体が精密性に乏しく評価値はいずれも主観的なものである。又、正確な評価値を求める場合などは大型で高価な測定機器の導入を強いられるなど多くの問題点を残している。そこで本発明では一つの機器で二つ以上の知覚検査機能を併合して有し、さらに携帯が容易で且簡易ながらも客観的に正確な評価が出来る検査測定器の完成を目的として、臨床現場でのニーズに充分受け入れられる複合皮膚感覚測定計器を開発提供する。【０００７】  上記課題を解決するために本発明は、温冷覚測定機能、痛覚測定機能、触覚測定機能、及び振動覚測定機能を有するこれら４つの検査測定機能の内、２つ以上又は４つ全部の測定機能を一つの計器に併合して有し、皮膚接触或いは皮膚感触による被検者の反応を数字で客観的に評価できるのを特徴とする複合皮膚感覚測定計器とするものである。【０００８】  形状を携帯用ペン型として係止用のクリップを具備し、駆動する為のＯＮ／ＯＦＦスイッチと選択機能スイッチや制御スイッチ及び出力表示窓等を設け、駆動源として乾電池を使用する構造とする複合皮膚感覚測定計器とするものである。【０００９】  本発明での温冷覚測定ではペルチェ素子を採用し、該ペルチェ素子の特性による加温及び冷却作用を使い分け、温冷強弱をコントロールする温度センサーを組み込んだ制御装置を備え皮膚接触刺激による温冷覚の有無を計測し、計測値は数字で表示する。【００１０】  そして痛覚測定では先端部の皮膚接触部にパルス発生端子を設け、電子信号正パルスの尖頭出力で得る痛感刺激を測定対象部分の皮膚に与えながら強弱をコントロールする制御装置を備え、又、本体先端部を対象皮膚に押圧することで圧センサーを組み込んだ制御装置を機能させ押圧覚の測定をも可能として、且計測値を数字で表示する。【００１１】  触覚測定ではファンで発生する風エネルギーを皮膚表面に段階的に掃射して触覚測定を行い、計測値を数字で表示する。【００１２】  振動覚測定では振動発生モーターによる振動を機器本体自身が振動運動を発する状態、或いは皮膚接触部に振動子を設け部分的振動を発生させ、皮膚感触の反応計測は段階的に除々に皮膚を刺激するなど、いろいろと使い分けて振動覚の評価測定を可能とし計測値を数字で表示する。
【発明の効果】
【００１３】  従来、知覚検査で使ってきた用具，例えば針、試験管、音叉、筆や綿花、などは不要となり煩雑性を解消し、１つの検査機器で温冷覚、痛覚、触覚、振動覚、などの総合的検査が可能な為短時間で簡便に検査ができ診療時間の短縮は勿論のことであるが、曖昧な主観的評価で判断していたものが、評価値を数字で表示することでより明確に客観的評価ができるようになった。また皮膚接触を軽いタッチで行うため押圧力による痛覚の誤評価をすることなく、段階的にコントロールしながらの刺激増は被検者の負担軽減にもつながり、大型で高額な測定器に近い評価を客観的に簡易に行う事ができ、その結果診療精度の向上と知覚検査の進歩性に大いに貢献するものである。【００１４】  駆動源に乾電池を使いペンタイプの小型化を図り、重量を最小限に軽量として医師や理学療法士が常にポケットに差して携帯することで、知覚検査に関しては何時でも何処でも即座に検査体制が保持できる。
【発明を実施するための最良の形態】
【００１５】  以下、本発明の実施例について図面を参照して説明する。
【実施例】  本実施例は知覚障害の程度を調べる測定計器であって、温冷覚測定機能、痛覚測定機能、触覚測定機能、及び振動覚測定機能を有するこれら４つの検査測定機能の全部を複合併用して有する複合皮膚感覚測定計器に関するものであり、図１は本発明の構成図であり、図２は本発明の構成をスケルトンダイヤグラムで示す。【００１６】  複合皮膚感覚測定計器１１は、外見形状をペン型として一方の先端部を皮膚接触面１２ａ、１２ｂとして設け、出力表示窓１３、選択機能スイッチ１４、及び皮膚接触部切替えツマミ１５、そして他方のペン型頭部には押圧式制御スイッチ及び駆動スイッチ１６を設け、さらにポケット差し用のクリップ１７を具備する構造とする。【００１７】  複合知覚測定計器１１内部に温冷覚測定を機能させるためのペルチェ素子１８、及び温度センサー等を組み込む制御装置１９ａ、痛覚測定を機能させるためのパルス発生端子２０ａ、２０ｂ、と押圧感による痛覚測定の為の圧センサーを組み込む制御装置１９ｂ、触覚測定を機能させるためのファン２１、モーター２２ｂ及び制御装置１９ｃ、振動覚測定を機能させるための振動発生用モーター２２ａ及び制御装置１９ｄを配備し、各機能制御装置を収納する制御装置収納室２３、直流電源室２４を設けて構成する。【００１８】  本発明の各測定機能は選択機能スイッチ１４で使用機能を選択後、制御スイッチ及び駆動スイッチ１６を右方向へ回し直流電源をＯＮにして使用するものであるが、各機能が独立していても、出力表示窓１３、制御スイッチ及び駆動スイッチ１６や電源とする電池２５等は共有して全機能に連動する。又電源とする電池２５は市販の電池を使用し電池交換口２６の開閉で簡単に電池交換を可能とし、充電用電池の使用もできる。【００１９】  第１の機能とする図１で示す温冷覚測定機能は、本発明で採用するペルチェ素子１８の一例を示すものであり、すでに公知の通り該ペルチェ素子１８の一端を電極２７ａとして直流電源プラス極に接続し、他方の一端を電極２７ｂとして直流電源マイナス極に接続し直流電圧を通電駆動すればペルチェ素子１８の一端が高温となり、又該ペルチェ素子１８のプラス極とマイナス極の接続を逆に接続変換すれば冷温となる。しかるに本発明においてもペルチェ素子１８の特性を利用することで温覚，冷覚の測定を行うものとして公知の方法を採用するものであり本発明での構造及び技術的説明を省略する。【００２０】  ペルチェ素子１８の温度調整は予め制御装置１９ａに組み込まれた温度センサーにより安全設定温度＋２０℃〜−０℃位の領域内として、過激な温度の上昇や皮膚障害となる冷却温度を防御している。【００２１】  制御スイッチ及び駆動スイッチ１６はスイッチ頭部に親指を当てて押し込みながら電流の増幅を加減するもので、深く押し込むと電圧は大となりペルチェ素子１８の温度が変化する。被検者の反応を伺いながら評価し押し込みを停止した状態で出力表示窓１３に出る数字を読み取るものであり、放すと数字は０位置に戻る。なお、数値表示ランクを５〜１０段階位で設定してより客観的評価ができるようにする。尚、制御スイッチ及び駆動スイッチ１６は痛覚測定、触覚測定、振動覚測定等にも同じ使い方で行うものとする。【００２２���第２の機能とする本実施例で示す痛覚測定機能は、従来痛覚測定に使う針等に変わる痛覚測定の検査方法に関するものである。【００２３】  図１で示す本発明の痛覚測定機能は電気刺激導子２８ａ、２８ｂ基体の皮膚接触面１２ｃの先端部分に設けるパルス発生端子２０ａ、２０ｂ、より発生する電子信号正パルスの尖頭出力で得る痛感刺激を対象部分の皮膚に与えながら制御スイッチ１６でコントロールして評価するものである。【００２４】  尚、電気刺激導子２８ａ、２８ｂ基体の皮膚接触面１２ａの構造的位置はペルチェ素子１８の皮膚接触面１２ｂを本体内部に１〜２ｍｍ入り込んで設け、皮膚接触部切替ツマミ１５で電気刺激導子２８ａ、２８ｂ基体の皮膚接触面１２ａと入れ替わる状態でペルチェ素子１８の皮膚接触面１２ｂが１〜２ｍｍ外部へ突出し測定対象皮膚部に接触を可能とする構造としている。【００２５】  パルス発生端子２０ａ、２０ｂ、より出力する電子信号正パルスの尖頭出力で得る痛感刺激の強弱度は予め制御装置１９ｂに組み込まれた数値表示ランクの安全設定範囲内で行い、被検者に激痛を与える事はない。【００２６】  又、痛覚測定において押圧による知覚評価を行う場合、パルス発生装置機能だけをＯＦＦ状態で対象皮膚部に接触押圧して予め制御装置１９ｂに組み込まれた圧センサーで出力表示窓１３に出る数字を読み取り評価することもできる。【００２７】  即ち本発明の痛覚測定機能は、パルス発生による痛感刺激を対象皮膚部に軽く押し当てて痛覚測定を行う為、押圧力から受ける痛感の判断を誤評価することなく、又、測定方法を使い分けて押圧力による触覚痛覚も含めた測定を行う事ができ、さらに出力表示窓１３に出る数字で客観的に痛覚測定評価する事を可能とした複合皮膚感覚測定計器１１である。【００２８】第３の機能とする本発明の図１で示す触覚測定機能は、ファン２１の回転で発生する風動エネルギーを皮膚表面に掃射して触覚測定を行うものである。従来、筆を拭触させての触覚測定が行われているが、いずれも主観的評価に依存するため非常に曖昧であった。本発明では柔らかい風力から高圧の風力まで段階的に調整を可能として、皮膚接触面１２ａ、１２ｂとする先端吹出し口２９より皮膚表面に掃射して被検者の反応を評価するものであるが、出力表示窓１３に段階的に出る数字を読み取り評価することができるため、触覚測定においても検査機能の精密性を高めた複合皮膚感覚測定計器１１とすることができた。【００２８】  第４の機能とする本発明の図１で示す振動覚測定機能は、駆動スイッチＯＮで振動発生モーター２２ａによる振動を複合知覚測定計器１１の本体自体が振動運動を発するもので、本体胴部とする側面を皮膚部分に近づけ添わす状態で従来の音叉測定に変る測定を可能としたり、手に握り込み反応を評価したり、又皮膚接触面１２ａ、１２ｂ、の先端部を皮膚に接触させて振動覚を評価したり、他にもいろいろな測定方法が考察される。さらに振動運動の強弱も段階的に調整可能で本発明が特徴とする出力表示窓１３に出る数字を読み取り評価することができる複合皮膚感覚測定計器１１である。
【産業上の利用可能性】  主観的評価で皮膚感覚の程度を評価する事は、医師の気分やその日の感覚的ずれで大変曖昧であり前日との比較も曖昧になる。本発明の複合皮膚感覚測定計器は客観的に数字で評価できるため前日との比較対照も明白で、担当医が替わってもこれまでの経過が一目瞭然であり、このようにして正確性を高めることがやがて信頼感を生み、本発明の複合皮膚感覚測定計器に段階的に表示するランク付けが全国の基準となり得ることも予測される。全国の医師総数が約２５万人で１０％が使用すると約２万個の利用可能性が見込め、又医師以外の理学療法士や作業療法士も同様の検査も行うのでこの方面の需要も期待できる。
【図面の簡単な説明】
【図１】本発明の実施例１とする構成図である。
【図２】本発明の実施例１とする本発明の構成をスケルトンダイヤグラムで示す。
【符号の説明】
１１                  複合皮膚感覚測定計器１２ａ、１２ｂ        皮膚接触面１３                  出力表示窓１４                  選択機能スイッチ１５                  皮膚接触部切替ツマミ６                    制御スイッチ及び駆動スイッチ１７                  クリップ１８                  ペルチェ素子１９ａ、１９ｂ、１９ｃ、１９ｄ  制御装置２０ａ、２０ｂ        パルス発生端子２１                  ファン２２ａ                振動発生モーター２２ｂ                ファン用モーター２３                  制御装置収納室２４                  電源室２５                  電池２６                  電池交換口２７ａ、２７ｂ        ペルチェ電極２８ａ、２８ｂ        電気刺激導子２９                  吹出し口
【図１】
2005052598.tif 000002
【図２】
2005052598.tif 000003